(57)【要約】【課題】連結配管の誤接続を検出することが可能な技術を提供する。【解決手段】本明細書が開示する熱機器は、熱媒を加熱する熱交換器を備える第１のユニットと、熱媒を循環する循環ポンプを備える第２のユニットと、第１のユニットと第２のユニットの間に配置されており、中継往路と中継復路を備える第３のユニットと、コントローラを備えている。第３のユニットは、中継往路に設けられた中継往路サーミスタと、中継復路に設けられた中継復路サーミスタをさらに備えている。その熱機器では、第３のユニットを介して第１のユニットと第２のユニットの間で熱媒を循環させて加熱する際に、第１の所定時間にわたって中継往路サーミスタの検出温度が中継復路サーミスタの検出温度に比べて第１の所定温度以上高い場合に、コントローラが、第２のユニットと第３のユニットの間の一対の連結配管が誤って接続されていると判断する。【選択図】図３
2015048992.tif 000002
【特許請求の範囲】
【請求項１】
熱媒を加熱する熱交換器と、熱交換器の一端に連通する熱媒流入路と、熱交換器の他端に連通する熱媒流出路を備える第１のユニットと、
熱媒を循環する循環ポンプと、循環ポンプの一端に連通する熱媒送出路と、循環ポンプの他端に連通する熱媒受入路を備える第２のユニットと、
第１のユニットと第２のユニットの間に配置されており、中継往路と中継復路を備える第３のユニットと、
熱媒流入路と中継往路を接続し、熱媒流出路と中継復路を接続する、第１のユニットと第３のユニットの間の一対の連結配管と、
熱媒送出路と中継往路を接続し、熱媒受入路と中継復路を接続する、第２のユニットと第３のユニットの間の一対の連結配管と、
コントローラを備える熱機器であって、
第３のユニットが、中継往路に設けられた中継往路サーミスタと、中継復路に設けられた中継復路サーミスタをさらに備えており、
第３のユニットを介して第１のユニットと第２のユニットの間で熱媒を循環させて加熱する際に、第１の所定時間にわたって中継往路サーミスタの検出温度が中継復路サーミスタの検出温度に比べて第１の所定温度以上高い場合に、コントローラが、第２のユニットと第３のユニットの間の一対の連結配管が誤って接続されていると判断する、熱機器。
【請求項２】
第１のユニットが、熱媒流入路に設けられた熱媒流入路サーミスタと、熱媒流出路に設けられた熱媒流出路サーミスタをさらに備えており、
第３のユニットを介して第１のユニットと第２のユニットの間で熱媒を循環させて加熱する際に、第２のユニットと第３のユニットの間の一対の連結配管が正しく接続されており、かつ第２の所定時間にわたって熱媒流入路サーミスタの検出温度が熱媒流出路サーミスタの検出温度に比べて第２の所定温度以上高い場合に、コントローラが、第１のユニットと第３のユニットの間の一対の連結配管が誤って接続されていると判断する、請求項１の熱機器。
【請求項３】
第３のユニットが、中継往路と中継復路を接続するバイパス路と、バイパス路を開閉するバイパス弁をさらに備えており、
第３のユニットを介して第１のユニットと第２のユニットの間で熱媒を循環させて加熱する際に、バイパス弁によってバイパス路が閉じられた状態で、第２のユニットと第３のユニットの間の一対の連結配管が誤って接続されていると判断されない場合に、コントローラが、第２のユニットと第３のユニットの間の一対の連結配管が正しく接続されていると判断する、請求項１または２の熱機器。
【発明の詳細な説明】
【技術分野】
【０００１】
本発明は、熱機器に関する。
【背景技術】
【０００２】
特許文献１に、熱媒を加熱する熱交換器（給湯用熱交換器１２）と、熱交換器の一端に連通する熱媒流入路（流入側配管１２Ｂ）と、熱交換器の他端に連通する熱媒流出路（流出側配管１２Ｃ）を備える第１のユニット（ヒートポンプユニット）と、熱媒を循環する循環ポンプ（循環ポンプ２３）と、循環ポンプの一端に連通する熱媒送出路（底部配管２２）と、循環ポンプの他端に連通する熱媒受入路（上部循環用配管２４）を備える第２のユニット（タンクユニット）と、熱媒流入路と熱媒送出路を接続し、熱媒流出路と熱媒受入路を接続する、第１のユニットと第２のユニットの間の一対の連結配管（入水側接続配管２５、出湯側接続配管２６）と、コントローラ（誤接続判定手段４７）を備える熱機器（ヒートポンプ給湯装置）が開示されている。この熱機器では、第１のユニットが、熱媒流入路に設けられた熱媒流入路サーミスタ（温度センサ２０Ｄ）と、熱媒流出路に設けられた熱媒流出路サーミスタ（温度センサ２０Ｅ）をさらに備えている。この熱機器では、第１のユニットと第２のユニットの間で熱媒を循環させて加熱する際に、所定時間にわたって熱媒流入路サーミスタの検出温度が熱媒流出路サーミスタの検出温度に比べて所定温度以上高い場合に、コントローラが、第１のユニットと第２のユニットの間の一対の連結配管が誤って接続されていると判断する。
【先行技術文献】
【特許文献】
【０００３】
【特許文献１】特開２００５−１４７６１６号公報
【発明の概要】
【発明が解決しようとする課題】
【０００４】
第１のユニットと第２のユニットの間に第３のユニットを介在させ、第３のユニットを介して第１のユニットと第２のユニットの間で熱媒を循環させて加熱する熱機器においては、特許文献１の技術をそのまま適用することはできない。第１のユニットと第２のユニットの間に第３のユニットを介在させる熱機器においては、第１のユニットと第３のユニットの間に一対の連結配管が存在し、さらに第２のユニットと第３のユニットの間にも一対の連結配管が存在する。このような構成の熱機器において、それぞれの連結配管の誤接続を的確に検出することが可能な技術が期待されている。
【０００５】
本明細書は、上記の課題を解決する技術を提供する。本明細書では、熱交換器を備える第１のユニットと、循環ポンプを備える第２のユニットの間に、第３のユニットが介在している熱機器において、連結配管の誤接続を検出することが可能な技術を提供する。
【課題を解決するための手段】
【０００６】
本明細書が開示する熱機器は、熱媒を加熱する熱交換器と、熱交換器の一端に連通する熱媒流入路と、熱交換器の他端に連通する熱媒流出路を備える第１のユニットと、熱媒を循環する循環ポンプと、循環ポンプの一端に連通する熱媒送出路と、循環ポンプの他端に連通する熱媒受入路を備える第２のユニットと、第１のユニットと第２のユニットの間に配置されており、中継往路と中継復路を備える第３のユニットと、熱媒流入路と中継往路を接続し、熱媒流出路と中継復路を接続する、第１のユニットと第３のユニットの間の一対の連結配管と、熱媒送出路と中継往路を接続し、熱媒受入路と中継復路を接続する、第２のユニットと第３のユニットの間の一対の連結配管と、コントローラを備えている。その熱機器では、第３のユニットが、中継往路に設けられた中継往路サーミスタと、中継復路に設けられた中継復路サーミスタをさらに備えている。その熱機器では、第３のユニットを介して第１のユニットと第２のユニットの間で熱媒を循環させて加熱する際に、第１の所定時間にわたって中継往路サーミスタの検出温度が中継復路サーミスタの検出温度に比べて第１の所定温度以上高い場合に、コントローラが、第２のユニットと第３のユニットの間の一対の連結配管が誤って接続されていると判断する。
【０００７】
上記の熱機器においては、第２のユニットと第３のユニットの間の一対の連結配管が正常に接続されている場合には、第１のユニットと第３のユニットの間の一対の連結配管の接続の正誤に関わらず、循環ポンプの駆動によって第２のユニットから第３のユニットに送られる熱媒（すなわち、熱交換器による加熱前の低温の熱媒）が中継往路を流れ、第３のユニットから第２のユニットへ戻される熱媒（すなわち、熱交換器による加熱後の高温の熱媒）が中継復路を流れる。従って、第２のユニットと第３のユニットの間の一対の連結配管が正常に接続されている場合には、中継復路サーミスタで検出される温度は、中継往路サーミスタで検出される温度よりも高いはずである。この関係に着目して、上記の熱機器では、第１の所定時間にわたって中継往路サーミスタの検出温度が中継復路サーミスタの検出温度に比べて第１の所定温度以上高い場合に、コントローラは、第２のユニットと第３のユニットの間の一対の連結配管において誤接続があるものと判断する。上記の熱機器によれば、第２のユニットと第３のユニットの間の一対の連結配管の誤接続を検出することができる。
【０００８】
上記の熱機器は、第１のユニットが、熱媒流入路に設けられた熱媒流入路サーミスタと、熱媒流出路に設けられた熱媒流出路サーミスタをさらに備えており、第３のユニットを介して第１のユニットと第２のユニットの間で熱媒を循環させて加熱する際に、第２のユニットと第３のユニットの間の一対の連結配管が正しく接続されており、かつ第２の所定時間にわたって熱媒流入路サーミスタの検出温度が熱媒流出路サーミスタの検出温度に比べて第２の所定温度以上高い場合に、コントローラが、第１のユニットと第３のユニットの間の一対の連結配管が誤って接続されていると判断するように構成することができる。
【０００９】
上記の熱機器において、第２のユニットと第３のユニットの間の一対の連結配管が正常に接続され、さらに第１のユニットと第３のユニットの間の一対の連結配管も正常に接続されている場合には、循環ポンプの駆動によって第３のユニットから第１のユニットに送られる熱媒（すなわち、熱交換器による加熱前の低温の熱媒）が熱媒流入路を流れ、第１のユニットから第３のユニットへ戻される熱媒（すなわち、熱交換器による加熱後の高温の熱媒）が熱媒流出路を流れる。従って、第２のユニットと第３のユニットの間の一対の連結配管が正常に接続され、さらに第１のユニットと第３のユニットの間の一対の連結配管も正常に接続されている場合には、熱媒流出路サーミスタで検出される温度は、熱媒流入路サーミスタで検出される温度よりも高いはずである。この関係に着目して、上記の熱機器では、第２のユニットと第３のユニットの間の一対の連結配管が正しく接続されており、かつ第２の所定時間にわたって熱媒流入路サーミスタの検出温度が熱媒流出路サーミスタの検出温度に比べて第２の所定温度以上高い場合に、コントローラは、第１のユニットと第３のユニットの間の一対の連結配管において誤接続があるものと判断する。上記の熱機器によれば、第１のユニットと第３のユニットの間の一対の連結配管の誤接続を検出することができる。
【００１０】
上記の熱機器では、第３のユニットが、中継往路と中継復路を接続するバイパス路と、バイパス路を開閉するバイパス弁をさらに備えており、第３のユニットを介して第１のユニットと第２のユニットの間で熱媒を循環させて加熱する際に、バイパス弁によってバイパス路が閉じられた状態で、第２のユニットと第３のユニットの間の一対の連結配管が誤って接続されていると判断されない場合に、コントローラが、第２のユニットと第３のユニットの間の一対の連結配管が正しく接続されていると判断するように構成することができる。
【００１１】
上記の熱機器においては、バイパス路が開かれている場合、仮に第２のユニットと第３のユニットの間の一対の連結配管において誤接続があっても、中継復路サーミスタで検出される温度と中継往路サーミスタで検出される温度の温度差が小さくなる。このため、コントローラが誤接続を検出できない可能性がある。そこで、上記の熱機器においては、バイパス弁によってバイパス路が閉じられた状態で、第２のユニットと第３のユニットの間の一対の連結配管が誤って接続されていると判断されない場合に、コントローラが、第２のユニットと第３のユニットの間の一対の連結配管が正しく接続されていると判断する。上記の熱機器によれば、第２のユニットと第３のユニットの間の一対の連結配管の誤接続を、正確に検出することができる。
【図面の簡単な説明】
【００１２】
【図１】実施例の給湯暖房システム２の構成を説明する図であり、特にＨＰユニット１０と貯湯ユニット２０の構成を説明する図である。
【図２】実施例の給湯暖房システム２の構成を説明する図であり、特にガス熱源ユニット５０の構成を説明する図である。
【図３】実施例の給湯暖房システム２における配管誤接続の検出処理を説明するフローチャートである。
【発明を実施するための形態】
【００１３】
（実施例）
本発明の実施例に係る給湯暖房システム２について、図面を参照しながら説明する。図１および図２に示すように、給湯暖房システム２は主に、ＨＰ（ヒートポンプ）ユニット１０と、貯湯ユニット２０と、ガス熱源ユニット５０を備えている。
【００１４】
図１に示すように、ＨＰユニット１０は、ヒートポンプ１１を備えている。ヒートポンプ１１は、圧縮機１２と、三流体熱交換器１３と、膨張弁１４と、空気熱交換器１５と、ファン１５ａと、除霜弁１７を備えている。ヒートポンプ１１では、冷媒（例えばＲ７４４のようなＣＯ２冷媒や、Ｒ４１０ＡのようなＨＦＣ冷媒など）が、圧縮機１２、三流体熱交換器１３、膨張弁１４、空気熱交換器１５の順に循環する。圧縮機１２は、冷媒を加圧して高温高圧の状態とする。三流体熱交換器１３では、冷媒流路１３ａを流れる冷媒と給湯用水流路１３ｂを流れる給湯用水の間、あるいは冷媒流路１３ａを流れる冷媒と暖房用水流路１３ｃを流れる暖房用水の間での熱交換により、冷媒を冷却する。膨張弁１４では、冷媒を減圧して低温低圧の状態とする。空気熱交換器１５では、内部を流れる冷媒と、ファン１５ａによって吹き付けられる外気との間での熱交換により、冷媒を加熱する。除霜弁１７は、平常時は閉じられており、空気熱交換器１５の除霜をするための除霜運転を行う際に開かれる。除霜弁１７を開いた状態で圧縮機１２を駆動すると、膨張弁１４を経由していない暖かい冷媒が空気熱交換器１５を流れて、空気熱交換器１５の外面に付着した霜が取り除かれる。
【００１５】
三流体熱交換器１３の給湯用水流路１３ｂには、給湯用水流入路１９ａと、給湯用水流出路１９ｂが接続されている。給湯用水流入路１９ａには、給湯用水循環ポンプ１８が取り付けられている。三流体熱交換器１３の暖房用水流路１３ｃには、暖房用水流入路１９ｃと、暖房用水流出路１９ｄが接続されている。暖房用水流入路１９ｃには、暖房流入サーミスタ１６ａが取り付けられている。暖房用水流出路１９ｄには、暖房流出サーミスタ１６ｂが取り付けられている。
【００１６】
貯湯ユニット２０は、貯湯槽２１を備えている。貯湯槽２１は、内部に水道水（以下では給湯用水ともいう）を蓄える密閉型の容器である。貯湯槽２１の容量は、例えば１００リットルである。貯湯槽２１には、その頂部近傍の水温を直接検出するタンク内部サーミスタ３９ａと、貯湯槽２１の上端から所定容量の箇所（例えば、１０リットル、３０リットルおよび５０リットル）での水温を検出するタンク表面サーミスタ３９ｂ、３９ｃ、３９ｄが取り付けられている。タンク内部サーミスタ３９ａおよびタンク表面サーミスタ３９ｂ、３９ｃ、３９ｄの検出温度に基づいて、貯湯槽２１の蓄熱状態を検出することができる。
【００１７】
貯湯槽２１の底部には、給湯用水往路３３が接続されている。貯湯槽２１の頂部には、給湯用水復路３４が接続されている。給湯用水往路３３は、第１給湯用水連結配管１０２ａを介して、ＨＰユニット１０の給湯用水流入路１９ａと連通している。給湯用水復路３４は、第２給湯用水連結配管１０２ｂを介して、ＨＰユニット１０の給湯用水流出路１９ｂと連通している。給湯用水循環ポンプ１８が駆動すると、貯湯槽２１の下部から給湯用水往路３３に給湯用水が吸出され、この給湯用水が三流体熱交換器１３の給湯用水流路１３ｂを流れて、給湯用水復路３４を通じて貯湯槽２１の頂部に戻される。このようにして、貯湯槽２１とヒートポンプ１１との間で給湯用水の循環経路が構成されている。
【００１８】
給湯用水往路３３には、給湯往路サーミスタ３６が取り付けられている。給湯往路サーミスタ３６は、給湯用水往路３３を流れる水の温度を検出する。給湯用水復路３４には、圧力開放経路３８が接続されている。圧力開放経路３８には、リリーフ弁３８ａが取り付けられている。リリーフ弁３８ａの開弁圧力は、後述する減圧弁２２ｂの調圧値よりも僅かに大きく設定されている。減圧弁２２ｂの調圧が不能になった場合には、リリーフ弁３８ａが開き、貯湯槽２１内の圧力が耐圧可能な圧力を超えるのを防止する。
【００１９】
貯湯槽２１の底部には、貯湯槽２１に給水する給水経路２２が接続されている。給水経路２２には、水道水入口２２ａを介して水道水が供給される。給水経路２２には、減圧弁２２ｂと、給水サーミスタ２２ｃが取り付けられている。減圧弁２２ｂは、給水経路２２における給水圧力を調整する。給水サーミスタ２２ｃは、給水経路２２を流れる水の温度を検出する。給水経路２２からは、バイパス給水経路２６が分岐している。給水経路２２には、バイパス給水経路２６の分岐箇所よりも下流側に、逆止弁２２ｄが取り付けられている。また、給水経路２２には、逆止弁２２ｄよりも下流側に、排水経路３１が接続されている。排水経路３１には、手動で開閉可能な排水弁３２が取り付けられている。排水弁３２を開くと、貯湯槽２１内の水が排水経路３１を通じて外部に排出される。
【００２０】
バイパス給水経路２６には、逆止弁２６ａと、給水流量センサ２６ｂが取り付けられている。給水流量センサ２６ｂは、バイパス給水経路２６を流れる水の流量を調整する。バイパス給水経路２６は、混合弁２３に接続している。
【００２１】
貯湯槽２１の頂部には、温水経路２５が接続されている。温水経路２５には、逆止弁２５ａと、温水流量センサ２５ｂが取り付けられている。温水流量センサ２５ｂは、温水経路２５を流れる水の流量を検出する。温水経路２５は、混合弁２３に接続している。
【００２２】
混合弁２３は、バイパス給水経路２６からの低温の水と、温水経路２５からの高温の水を混合して、混合温水経路２７に送り出す。混合弁２３は、内蔵された弁をステッピングモータにより駆動して、バイパス給水経路２６の開度と、温水経路２５の開度を調整可能である。混合温水経路２７には、混合サーミスタ２７ａが取り付けられている。混合サーミスタ２７ａは、混合温水経路２７を流れる水の温度を検出する。
【００２３】
混合温水経路２７は、給湯バーナ往路２８ａと、給湯バーナバイパス路２８ｂに分岐している。給湯バーナバイパス路２８ｂには、バイパス制御弁２８ｄが取り付けられている。バイパス制御弁２８ｄは、給湯バーナバイパス路２８ｂの開閉を切り替える。給湯バーナバイパス路２８ｂは、給湯バーナ復路２８ｃと合流して、給湯経路２９に連通している。給湯経路２９には、給湯サーミスタ２９ａが取り付けられている。給湯サーミスタ２９ａは、給湯経路２９を流れる水の温度を検出する。給湯経路２９は、給湯栓８０に連通している。給湯栓８０は、浴室、洗面所、台所等に配置されている（図１では、これら複数の給湯栓８０を１つで代表している）。
【００２４】
図２に示すように、ガス熱源ユニット５０は、給湯器５１と暖房循環経路６１と浴槽循環経路７１とを備えている。給湯器５１は、給湯熱交換器５３とバーナ５４等を備えている。給湯熱交換器５３の入口側には、給湯用水流入路５２が接続されている。給湯用水流入路５２は、第３給湯用水連結配管１０４ａを介して、貯湯ユニット２０の給湯バーナ往路２８ａと連通している。給湯熱交換器５３の出口側には、給湯用水流出路５５が接続されている。給湯用水流出路５５は、第４給湯用水連結配管１０４ｂを介して、貯湯ユニット２０の給湯バーナ復路２８ｃと連通している。
【００２５】
給湯用水流入路５２には、入水サーミスタ５２ａと給湯水量センサ５２ｂと水量サーボ５２ｃが取り付けられている。入水サーミスタ５２ａと給湯水量センサ５２ｂは、それぞれ給湯用水流入路５２を流れる給湯用水の温度及び流量を検出する。水量サーボ５２ｃは、給湯用水流入路５２を流れる給湯用水の流量を調整する。バーナ５４は、ガスの燃焼によって給湯熱交換器５３を加熱する。給湯用水流出路５５には、給湯熱交換器５３の出口近傍に、缶体サーミスタ５６が取り付けられており、その下流側に出湯サーミスタ５７が取り付けられている。
【００２６】
給湯用水流入路５２における水量サーボ５２ｃの下流側と、給湯用水流出路５５の缶体サーミスタ５６と出湯サーミスタ５７の間には、バーナバイパス経路５８が接続されている。給湯用水流入路５２とバーナバイパス経路５８との接続部には、バイパス制御弁５９が設けられている。バイパス制御弁５９の開度を調整することによって、給湯用水流入路５２からバーナバイパス経路５８に流れる給湯用水の流量が調整される。
【００２７】
暖房循環経路６１は、シスターン６２と、第１暖房熱交換器６３ｃと、第２暖房熱交換器６６ｃと、バーナ６９等を備えている。シスターン６２は、内部に暖房用水（例えば水や不凍液）を蓄える開放型の容器である。シスターン６２の底部には、暖房往路６３が接続されている。暖房往路６３には、暖房用水循環ポンプ６３ａと、暖房低温サーミスタ６３ｂが取り付けられている。暖房低温サーミスタ６３ｂは、暖房往路６３を流れる暖房用水の温度を検出する。暖房往路６３の暖房用水循環ポンプ６３ａよりも下流側からは、低温暖房往路６４が分岐している。低温暖房往路６４は、例えば床暖房機などの低温暖房端末６７ａの入口側に接続されている。暖房往路６３は、第１暖房熱交換器６３ｃの入口側に接続されている。第１暖房熱交換器６３ｃの出口側には、高温暖房往路６５が接続されている。高温暖房往路６５には、暖房高温サーミスタ６５ａが設けられている。暖房高温サーミスタ６５ａは、高温暖房往路６５を流れる暖房用水の温度を検出する。高温暖房往路６５は、例えば浴室乾燥暖房機などの高温暖房端末６７ｂの入口側に接続されている。高温暖房端末６７ｂの出口側には、第１暖房復路６０ａが接続されている。低温暖房端末６７ａの出口側には、第２暖房復路６０ｂが接続されている。第２暖房復路６０ｂは、第１暖房復路６０ａに合流している。
【００２８】
第２暖房熱交換器６６ｃの入口側には、第３暖房復路６０ｃが接続している。第２暖房熱交換器６６ｃの出口側には、第４暖房復路６０ｄが接続している。第４暖房復路６０ｄは、シスターン６２の底部に連通している。バーナ６９は、ガスの燃焼によって第１暖房熱交換器６３ｃと、第２暖房熱交換器６６ｃを加熱する。高温暖房往路６５と第４暖房復路６０ｄは、暖房バイパス経路６８を介して接続されている。暖房バイパス経路６８には、暖房バイパス制御弁６８ａが設けられている。
【００２９】
高温暖房往路６５と第３暖房復路６０ｃは、追い焚き経路７８を介して接続されている。高温暖房往路６５における追い焚き経路７８の接続箇所には、追い焚き流量制御弁７８ａが設けられている。追い焚き流量制御弁７８ａの開度を調整することによって、高温暖房往路６５から追い焚き経路７８へ流れる暖房用水の流量が調整される。追い焚き経路７８には、追い焚き熱交換器７６が設けられている。追い焚き熱交換器７６では、暖房用水流路７６ａを流れる暖房用水と、浴槽水流路７６ｂを流れる浴槽水の間で熱交換が行われる。
【００３０】
浴槽循環経路７１の両端は、浴槽７２内に接続されている。浴槽循環経路７１には、浴槽ポンプ７３と、水流スイッチ７４と、浴槽戻りサーミスタ７５と、追い焚き熱交換器７６と、浴槽往きサーミスタ７７とが順に設けられている。浴槽ポンプ７３が駆動すると、浴槽７２内の湯が実線矢印に示すように、浴槽循環経路７１を流れ、追い焚き熱交換器７６の浴槽水流路７６ｂを流れる際に、暖房用水流路７６ａを流れる暖房用水により加熱される。浴槽戻りサーミスタ７５は、浴槽７２から浴槽循環経路７１に流入した浴槽水の温度を検出する。浴槽往きサーミスタ７７は、追い焚き熱交換器７６で加熱された後の浴槽水の温度を検出する。
【００３１】
浴槽循環経路７１において、追い焚き熱交換器７６よりも上流側には、湯はり経路７０が接続されている。湯はり経路７０は、給湯用水流出路５５に接続している。湯はり経路７０には、湯はり弁７０ａと、湯はり量センサ７０ｂが設けられている。湯はり弁７０ａを開くと、破線矢印に示すように、給湯用水流出路５５からの温水が、湯はり経路７０及び浴槽循環経路７１を通じて、浴槽７２に供給される。
【００３２】
図１に示すように、貯湯ユニット２０には、中継往路８２ａと、中継復路８２ｂと、中継バイパス路８２ｃが設けられている。中継往路８２ａは、第１暖房用水連結配管１０６ａを介して、ＨＰユニット１０の暖房用水流入路１９ｃと連通している。中継復路８２ｂは、第２暖房用水連結配管１０６ｂを介して、ＨＰユニット１０の暖房用水流出路１９ｄと連通している。また、中継往路８２ａは、第３暖房用水連結配管１０８ａを介して、ガス熱源ユニット５０の第１暖房復路６０ａに連通している。中継復路８２ｂは、第４暖房用水連結配管１０８ｂを介して、ガス熱源ユニット５０の第３暖房復路６０ｃに連通している。中継バイパス路８２ｃは、貯湯ユニット２０の内部で、中継往路８２ａと中継復路８２ｂを接続している。中継往路８２ａにおける中継バイパス路８２ｃの接続箇所には、混合弁８３が取り付けられている。中継往路８２ａの混合弁８３よりも上流側には、ＨＰ往きサーミスタ８４ａが取り付けられている。中継復路８２ｂにおける中継バイパス路８２ｃの接続箇所よりも上流側には、ＨＰ戻りサーミスタ８４ｂが取り付けられている。中継復路８２ｂにおける中継バイパス路８２ｃの接続箇所よりも下流側には、暖房混合サーミスタ８４ｃが取り付けられている。
【００３３】
ＨＰユニット１０には、ＨＰユニット１０の各構成要素の動作を制御するＨＰコントローラ１０ａが設けられている。ガス熱源ユニット５０には、ガス熱源ユニット５０の各構成要素の動作を制御するガス熱源コントローラ５０ａが設けられている。貯湯ユニット２０には、貯湯ユニット２０の各構成要素の動作を制御する貯湯コントローラ２０ａと、貯湯コントローラ２０ａと通信可能に接続されたリモコン２０ｂが設けられている。リモコン２０ｂは、給湯暖房システム２の利用者に各種の情報を提示するとともに、給湯暖房システム２の利用者からの各種の操作入力を受け入れる。ＨＰコントローラ１０ａと貯湯コントローラ２０ａは、通信可能に接続されている。ガス熱源コントローラ５０ａと貯湯コントローラ２０ａは、通信可能に接続されている。ＨＰコントローラ１０ａと、貯湯コントローラ２０ａと、ガス熱源コントローラ５０ａが、互いに協調して制御を行うことで、給湯暖房システム２は、各種の運転を実行することができる。以下ではＨＰコントローラ１０ａ、貯湯コントローラ２０ａ、ガス熱源コントローラ５０ａを総称して、単にコントローラともいう。
【００３４】
給湯暖房システム２は、以下のような各種の運転を実行することができる。
【００３５】
（蓄熱運転）
蓄熱運転では、貯湯槽２１内の給湯用水をヒートポンプ１１で加熱し、高温となった給湯用水を貯湯槽２１に戻す。蓄熱運転においては、ＨＰコントローラ１０ａが圧縮機１２およびファン１５ａを駆動してヒートポンプ１１を作動させるとともに、給湯用水循環ポンプ１８を駆動する。
【００３６】
圧縮機１２の駆動により、ヒートポンプ１１の冷媒は、圧縮機１２、三流体熱交換器１３、膨張弁１４、空気熱交換器１５の順に循環する。この場合、三流体熱交換器１３を通過する冷媒流路１３ａ内の冷媒は、高温高圧の気体状態である。給湯用水循環ポンプ１８の駆動により、貯湯槽２１の下部の給湯用水が給湯用水往路３３、第１給湯用水連結配管１０２ａ、給湯用水流入路１９ａを経て、三流体熱交換器１３の給湯用水流路１３ｂに導入され、導入された給湯用水は冷媒との熱交換により加熱される。加熱された給湯用水は、給湯用水流出路１９ｂ、第２給湯用水連結配管１０２ｂ、給湯用水復路３４を経て、貯湯槽２１の上部に戻される。これにより、貯湯槽２１に高温の給湯用水が貯められる。貯湯槽２１の内部が高温の給湯用水で満たされた満蓄状態となると、蓄熱運転が終了する。
【００３７】
（凍結防止運転）
外気温度が所定温度以下となると、屋外に配置されているＨＰユニット１０の三流体熱交換器１３や付随する配管の内部で水が凍結してしまわないように、給湯暖房システム２は凍結防止運転を行う。凍結防止運転においては、ＨＰコントローラ１０ａは、ヒートポンプ１１を駆動することなく、給湯用水循環ポンプ１８を駆動する。これによって、三流体熱交換器１３の給湯用水流路１３ｂや、給湯用水流入路１９ａ、給湯用水流出路１９ｂ、第１給湯用水連結配管１０２ａ、第２給湯用水連結配管１０２ｂの内部の水が循環して、これらの配管の内部に水が長期間滞留することによる凍結が防止される。
【００３８】
（除霜運転）
外気温度が低い状況では、空気熱交換器１５に着霜することがある。空気熱交換器１５に着霜してしまうと、ヒートポンプ１１による加熱効率が低下してしまう。このため、空気熱交換器１５に着霜しているおそれがある場合に、給湯暖房システム２は除霜運転を行う。除霜運転においては、ＨＰコントローラ１０ａは、除霜弁１７を開いた状態で、圧縮機１２を駆動する。これによって、高温の冷媒が空気熱交換器１５に供給されて、空気熱交換器１５の表面に付着した霜を溶融させて、空気熱交換器１５の除霜を行うことができる。
【００３９】
（給湯運転）
給湯運転は、貯湯槽２１内の給湯用水を給湯栓８０に供給する運転である。給湯運転は、上記の蓄熱運転と並行して行うこともできる。給湯栓８０が開かれると、給水経路２２からの水圧によって、貯湯槽２１の下部に水道水が流入する。同時に、貯湯槽２１の上部の給湯用水が、温水経路２５を介して混合温水経路２７に供給される。
【００４０】
貯湯コントローラ２０ａは、貯湯槽２１から温水経路２５に供給される給湯用水の温度が給湯設定温度より高い場合には、混合弁２３を駆動して、バイパス給水経路２６から混合温水経路２７に水道水を導入する。従って、温水経路２５から供給された給湯用水とバイパス給水経路２６から供給された水道水とが混合されて、混合温水経路２７に供給される。貯湯コントローラ２０ａは、給湯栓８０に供給される給湯用水の温度が、給湯設定温度と一致するように、混合弁２３の開度を調整する。一方、貯湯槽２１から温水経路２５に供給される給湯用水の温度が給湯設定温度より低い場合には、ガス熱源コントローラ５０ａがバーナ５４の燃焼運転を開始して、給湯熱交換器５３を通過する水を加熱する。ガス熱源コントローラ５０ａは、給湯栓８０に供給される給湯用水の温度が、給湯設定温度と一致するように、バーナ５４の出力を制御する。
【００４１】
（暖房運転）
暖房運転は、ヒートポンプ１１によって暖房用水を加熱し、高温となった暖房用水を用いて低温暖房端末６７ａや高温暖房端末６７ｂによって暖房する運転である。リモコン２０ｂを介して暖房運転の実行が指示されると、ガス熱源コントローラ５０ａは、暖房用水循環ポンプ６３ａを駆動する。さらに、ＨＰコントローラ１０ａは、圧縮機１２およびファン１５ａを駆動する。これによって、三流体熱交換器１３で加熱された暖房用水が、シスターン６２を経て、低温暖房端末６７ａや高温暖房端末６７ｂに供給される。さらに、ガス熱源コントローラ５０ａは、必要に応じてバーナ６９の燃焼運転を開始する。これにより、高温暖房端末６７ｂには、第１暖房熱交換器６３ｃで加熱されてさらに高温となった暖房用水が供給される。暖房運転においては、低温暖房端末６７ａに供給される暖房用水の温度が低温暖房設定温度となるように、また高温暖房端末６７ｂに供給される暖房用水の温度が高温暖房設定温度となるように、ヒートポンプ１１の動作や、バーナ６９の出力が調整される。
【００４２】
稼働する低温暖房端末６７ａおよび高温暖房端末６７ｂの台数が多くなると、それだけ暖房用水循環ポンプ６３ａの負荷が増大する。そこで、本実施例では、稼働する低温暖房端末６７ａおよび高温暖房端末６７ｂの台数に応じて混合弁８３の開度を調整し、稼働する低温暖房端末６７ａおよび高温暖房端末６７ｂの台数が多いほど、中継バイパス路８２ｃに流れる暖房用水の割合を増加させる。中継バイパス路８２ｃに流れる暖房用水の割合が増加すると、圧損の高い三流体熱交換器１３を流れる暖房用水の割合が低減し、暖房用水循環ポンプ６３ａの負荷が軽減される。このような構成とすることで、稼働する低温暖房端末６７ａおよび高温暖房端末６７ｂの台数が多くなる場合でも、暖房用水循環ポンプ６３ａの負荷の増大を抑制することができる。
【００４３】
（湯はり運転）
湯はり運転は浴槽７２に湯はりをする運転である。リモコン２０ｂを介して湯はり運転の開始が指示されると、給湯暖房システム２は湯はり運転を開始する。湯はり運転においては、ガス熱源コントローラ５０ａは、湯はり弁７０ａを開く。湯はり弁７０ａが開くと、給湯用水流出路５５から湯はり経路７０、浴槽循環経路７１を介して、浴槽７２に給湯用水が供給される。湯はり運転においては、給湯運転と同様にして、湯はり経路７０に供給される水の温度を湯はり設定温度に調整する。浴槽７２に供給される水の水量が湯はり設定水量に達すると、湯はり運転を終了する。
【００４４】
（追い焚き運転）
追い焚き運転は、浴槽７２に貯められた浴槽水を追い焚きする運転である。リモコン２０ｂを介して追い焚き運転の開始が指示されると、給湯暖房システム２は追い焚き運転を開始する。追い焚き運転においては、浴槽ポンプ７３を駆動する。また、追い焚き流量制御弁７８ａの開度を調整して、暖房用水循環ポンプ６３ａを駆動する。これにより、浴槽７２から浴槽水が吸い出されて、追い焚き熱交換器７６で暖房用水との熱交換によって加熱される。加熱された浴槽水は、浴槽７２へ戻される。追い焚き運転においては、バーナ６９による暖房用水の加熱が行われる。
【００４５】
（配管誤接続の検出）
給湯暖房システム２を据え付ける際に、ＨＰユニット１０と貯湯ユニット２０の間の連結配管や、貯湯ユニット２０とガス熱源ユニット５０の間の連結配管を、誤って接続してしまうことがある。例えば、ＨＰユニット１０と貯湯ユニット２０の間で、第１暖房用水連結配管１０６ａを、中継往路８２ａと暖房用水流出路１９ｄの間で接続し、第２暖房用水連結配管１０６ｂを、中継復路８２ｂと暖房用水流入路１９ｃの間で接続してしまうことがある。あるいは、貯湯ユニット２０とガス熱源ユニット５０の間で、第３暖房用水連結配管１０８ａを、中継往路８２ａと第３暖房復路６０ｃの間で接続し、第４暖房用水連結配管１０８ｂを、中継復路８２ｂと第１暖房復路６０ａの間で接続してしまうことがある。本実施例の給湯暖房システム２では、コントローラが、暖房運転を行う際に、図３に示す誤配管検出処理を行って、配管接続が正しく行われているか否かを確認する。図３に示す誤配管検出処理では、暖房運転における暖房用水の温度の大小関係、すなわち、ガス熱源ユニット５０から貯湯ユニット２０を経てＨＰユニット１０に送られる暖房用水は低温であり、三流体熱交換器１３で加熱されてＨＰユニット１０から貯湯ユニット２０を経てガス熱源ユニット５０へ戻される暖房用水は高温である、という関係に基づいて、配管接続が正しく行われているか否かを判断する。
【００４６】
ステップＳ２では、コントローラは、圧縮機１２が強制駆動中であるか否かを判断する。圧縮機１２が強制駆動中である場合（ＹＥＳの場合）、三流体熱交換器１３における暖房用水の加熱が通常通り行われていないと考えられるため、処理はステップＳ２へ戻る。圧縮機１２が強制駆動中でない場合（ステップＳ２でＮＯの場合）、処理はステップＳ４へ進む。
【００４７】
ステップＳ４では、コントローラは、凍結防止運転を実行中であるか否かを判断する。凍結防止運転においては、三流体熱交換器１３における暖房用水の加熱が通常通り行われていないと考えられるため、処理はステップＳ２へ戻る。凍結防止運転を行っていない場合（ステップＳ４でＮＯの場合）、処理はステップＳ６へ進む。
【００４８】
ステップＳ６では、コントローラは、除霜運転を実行中であるか否かを判断する。除霜運転においては、三流体熱交換器１３における暖房用水の加熱が通常通り行われていないと考えられるため、処理はステップＳ２へ戻る。除霜運転を行っていない場合（ステップＳ６でＮＯの場合）、処理はステップＳ８へ進む。
【００４９】
ステップＳ８、ステップＳ１０およびステップＳ１２では、暖房流入サーミスタ１６ａで検出される温度（暖房流入温度）と、暖房流出サーミスタ１６ｂで検出される温度（暖房流出温度）と、ＨＰ戻りサーミスタ８４ｂで検出される温度（ＨＰ戻り温度）が、何れも０℃以上である場合（ステップＳ８、ステップＳ１０およびステップＳ１２の何れもＮＯの場合）に、コントローラは、暖房運転が正常に行われているものと判断して、処理はステップＳ１４へ進む。それ以外の場合（ステップＳ８、ステップＳ１０およびステップＳ１２の何れかがＹＥＳの場合）、処理はステップＳ２へ戻る。
【００５０】
ステップＳ１４では、コントローラは、第１の所定時間（例えば９分間）にわたって、ＨＰ戻りサーミスタ８４ｂで検出される温度（ＨＰ戻り温度）に第１の所定温度（例えば＋５℃）を加えた温度が、ＨＰ往きサーミスタ８４ａで検出される温度（ＨＰ往き温度）を下回るか否かを判断する。第３暖房用水連結配管１０８ａと第４暖房用水連結配管１０８ｂが正常に接続されている場合には、第１暖房用水連結配管１０６ａと第２暖房用水連結配管１０６ｂの接続の正誤に関わらず、暖房用水循環ポンプ６３ａの駆動によってガス熱源ユニット５０から貯湯ユニット２０に送られる暖房用水（すなわち、ヒートポンプ１１による加熱前の低温の暖房用水）が中継往路８２ａを流れ、貯湯ユニット２０からガス熱源ユニット５０へ戻される暖房用水（すなわち、ヒートポンプ１１による加熱後の高温の暖房用水）が中継復路８２ｂを流れる。従って、第３暖房用水連結配管１０８ａと第４暖房用水連結配管１０８ｂが正常に接続されている場合には、ＨＰ戻りサーミスタ８４ｂで検出される温度は、ＨＰ往きサーミスタ８４ａで検出される温度よりも高いはずである。この関係に着目して、本実施例の給湯暖房システム２では、第１の所定時間にわたって、ＨＰ戻りサーミスタ８４ｂで検出される温度に第１の所定温度を加えた温度が、ＨＰ往きサーミスタ８４ａで検出される温度を下回る場合に（ステップＳ１４でＹＥＳの場合に）、ステップＳ１６へ進んで、第３暖房用水連結配管１０８ａと第４暖房用水連結配管１０８ｂにおいて配管の誤接続があるものと判断する。ステップＳ１６においては、コントローラは、リモコン２０ｂを介して、第３暖房用水連結配管１０８ａと第４暖房用水連結配管１０８ｂにおいて配管の誤接続があることを報知して、これらの配管を正常に接続し直すことを促す。ステップＳ１６の後、図３の処理は終了する。
【００５１】
ステップＳ１４においてＮＯの場合、処理はステップＳ１８へ進む。ステップＳ１８では、コントローラは、混合弁８３が中継バイパス路８２ｃを全閉しているか否かを判断する。中継バイパス路８２ｃが開かれている場合、仮に第３暖房用水連結配管１０８ａと第４暖房用水連結配管１０８ｂにおいて誤接続があっても、ＨＰ戻りサーミスタ８４ｂで検出される温度とＨＰ往きサーミスタ８４ａで検出される温度の温度差が小さくなり、ステップＳ１４でＮＯと判断される可能性がある。そこで、ステップＳ１８で混合弁８３が中継バイパス路８２ｃを全閉している場合（ＹＥＳの場合）に限り、処理はステップＳ２０へ進む。ステップＳ１８で混合弁８３が中継バイパス路８２ｃを全閉していない場合（ＮＯの場合）、処理はステップＳ２へ戻る。
【００５２】
ステップＳ２０では、コントローラは、第２の所定時間（例えば１５分間）にわたって、暖房流出サーミスタ１６ｂで検出される温度（暖房流出温度）に第２の所定温度（例えば＋５℃）を加えた温度が、暖房流入サーミスタ１６ａで検出される温度（暖房流入温度）を下回るか否かを判断する。ステップＳ２０を実施する時点では、第３暖房用水連結配管１０８ａと第４暖房用水連結配管１０８ｂの接続が正しく行われていることがすでに判明している。従って、第１暖房用水連結配管１０６ａと第２暖房用水連結配管１０６ｂが正常に接続されている場合には、暖房用水循環ポンプ６３ａの駆動によって貯湯ユニット２０からＨＰユニット１０に送られる暖房用水（すなわち、ヒートポンプ１１による加熱前の低温の暖房用水）が暖房用水流入路１９ｃを流れ、ＨＰユニット１０から貯湯ユニット２０へ戻される暖房用水（すなわち、ヒートポンプ１１による加熱後の高温の暖房用水）が暖房用水流出路１９ｄを流れる。従って、第１暖房用水連結配管１０６ａと第２暖房用水連結配管１０６ｂが正常に接続されている場合には、暖房流出サーミスタ１６ｂで検出される温度は、暖房流入サーミスタ１６ａで検出される温度よりも高いはずである。この関係に着目して、本実施例の給湯暖房システム２では、第２の所定時間にわたって、暖房流出サーミスタ１６ｂで検出される温度に第２の所定温度を加えた温度が、暖房流入サーミスタ１６ａで検出される温度を下回る場合に（ステップＳ２０でＹＥＳの場合に）、ステップＳ２２へ進んで、コントローラは、第１暖房用水連結配管１０６ａと第２暖房用水連結配管１０６ｂにおいて配管の誤接続があるものと判断する。ステップＳ２２においては、コントローラは、リモコン２０ｂを介して、第１暖房用水連結配管１０６ａと第２暖房用水連結配管１０６ｂにおいて配管の誤接続があることを報知し、これらの配管を正常に接続し直すことを促す。ステップＳ２２の後、図３の処理は終了する。
【００５３】
ステップＳ２０でＮＯの場合、ステップＳ２４において、コントローラは、第３暖房用水連結配管１０８ａと第４暖房用水連結配管１０８ｂにおける配管は正常に接続されており、かつ第１暖房用水連結配管１０６ａと第２暖房用水連結配管１０６ｂにおける配管は正常に接続されているものと判断する。ステップＳ２４の後、図３の処理は終了する。本実施例の給湯暖房システム２では、一度でもステップＳ２４において配管が正常に接続されていると判断された後は、その後の暖房運転においては、図３の配管誤接続の検出処理は行わないようにする。
【００５４】
以上のように、本実施例の給湯暖房システム２（熱機器に相当する）は、暖房用水（熱媒に相当する）を加熱する三流体熱交換器１３（熱交換器に相当する）と、三流体熱交換器１３の一端に連通する暖房用水流入路１９ｃ（熱媒流入路に相当する）と、三流体熱交換器１３の他端に連通する暖房用水流出路１９ｄ（熱媒流出路に相当する）を備えるＨＰユニット１０（第１のユニットに相当する）と、暖房用水を循環する暖房用水循環ポンプ６３ａ（循環ポンプに相当する）と、暖房用水循環ポンプ６３ａの一端に連通する第１暖房復路６０ａ（熱媒送出路に相当する）と、暖房用水循環ポンプ６３ａの他端に連通する第３暖房復路６０ｃ（熱媒受入路に相当する）を備えるガス熱源ユニット５０（第２のユニットに相当する）と、ＨＰユニット１０とガス熱源ユニット５０の間に配置されており、中継往路８２ａと中継復路８２ｂを備える貯湯ユニット２０（第３のユニットに相当する）と、暖房用水流入路１９ｃと中継往路８２ａを接続し、暖房用水流出路１９ｄと中継復路８２ｂを接続する、ＨＰユニット１０と貯湯ユニット２０の間の第１暖房用水連結配管１０６ａおよび第２暖房用水連結配管１０６ｂ（一対の連結配管に相当する）と、第１暖房復路６０ａと中継往路８２ａを接続し、第３暖房復路６０ｃと中継復路８２ｂを接続する、ガス熱源ユニット５０と貯湯ユニット２０の間の第３暖房用水連結配管１０８ａおよび第４暖房用水連結配管１０８ｂ（一対の連結配管に相当する）と、ＨＰコントローラ１０ａ、貯湯コントローラ２０ａ、ガス熱源コントローラ５０ａ（コントローラに相当する）を備えている。給湯暖房システム２では、貯湯ユニット２０が、中継往路８２ａに設けられたＨＰ往きサーミスタ８４ａ（中継往路サーミスタに相当する）と、中継復路８２ｂに設けられたＨＰ戻りサーミスタ８４ｂ（中継復路サーミスタに相当する）をさらに備えている。給湯暖房システム２では、貯湯ユニット２０を介してＨＰユニット１０とガス熱源ユニット５０の間で暖房用水を循環させて加熱する際に、第１の所定時間（９分間）にわたってＨＰ往きサーミスタ８４ａの検出温度がＨＰ戻りサーミスタ８４ｂの検出温度に比べて第１の所定温度（＋５℃）以上高い場合に、コントローラが、ガス熱源ユニット５０と貯湯ユニット２０の間の第３暖房用水連結配管１０８ａおよび第４暖房用水連結配管１０８ｂが誤って接続されていると判断する。
【００５５】
また、本実施例の給湯暖房システム２では、ＨＰユニット１０が、暖房用水流入路１９ｃに設けられた暖房流入サーミスタ１６ａ（熱媒流入路サーミスタに相当する）と、暖房用水流出路１９ｄに設けられた暖房流出サーミスタ１６ｂ（熱媒流出路サーミスタに相当する）をさらに備えている。給湯暖房システム２では、貯湯ユニット２０を介してＨＰユニット１０とガス熱源ユニット５０の間で暖房用水を循環させて加熱する際に、ガス熱源ユニット５０と貯湯ユニット２０の間の第３暖房用水連結配管１０８ａおよび第４暖房用水連結配管１０８ｂが正しく接続されており、かつ第２の所定時間（１５分間）にわたって暖房流入サーミスタ１６ａの検出温度が暖房流出サーミスタ１６ｂの検出温度に比べて第２の所定温度（＋５℃）以上高い場合に、コントローラが、ＨＰユニット１０と貯湯ユニット２０の間の第１暖房用水連結配管１０６ａおよび第２暖房用水連結配管１０６ｂが誤って接続されていると判断する。
【００５６】
本実施例の給湯暖房システム２では、貯湯ユニット２０が、中継往路８２ａと中継復路８２ｂを接続する中継バイパス路８２ｃ（バイパス路に相当する）と、中継バイパス路８２ｃを開閉する混合弁８３（バイパス弁に相当する）をさらに備えている。給湯暖房システム２では、貯湯ユニット２０を介してＨＰユニット１０とガス熱源ユニット５０の間で暖房用水を循環させて加熱する際に、混合弁８３によって中継バイパス路８２ｃが閉じられた状態で、ガス熱源ユニット５０と貯湯ユニット２０の間の第３暖房用水連結配管１０８ａおよび第４暖房用水連結配管１０８ｂが誤って接続されていると判断されない場合に、コントローラが、ガス熱源ユニット５０と貯湯ユニット２０の間の第３暖房用水連結配管１０８ａおよび第４暖房用水連結配管１０８ｂが正しく接続されていると判断する。
【００５７】
上記の実施例では、ＨＰユニット１０が第１のユニットであり、ガス熱源ユニット５０が第２のユニットであり、貯湯ユニット２０が第３のユニットである場合を例として説明したが、本発明の熱機器の構成はこれに限定されるものではない。本発明は、熱媒を加熱する熱交換器を有する第１のユニットと、熱媒を循環する循環ポンプを有する第２のユニットと、第１のユニットと第２のユニットの間に介在する第３のユニットを備える熱機器全般に対して適用することが可能である。
【００５８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００５９】
２  給湯暖房システム
１０  ＨＰユニット
１０ａ  ＨＰコントローラ
１１  ヒートポンプ
１２  圧縮機
１３  三流体熱交換器
１３ａ  冷媒流路
１３ｂ  給湯用水流路
１３ｃ  暖房用水流路
１４  膨張弁
１５  空気熱交換器
１５ａ  ファン
１６ａ  暖房流入サーミスタ
１６ｂ  暖房流出サーミスタ
１７  除霜弁
１８  給湯用水循環ポンプ
１９ａ  給湯用水流入路
１９ｂ  給湯用水流出路
１９ｃ  暖房用水流入路
１９ｄ  暖房用水流出路
２０  貯湯ユニット
２０ａ  貯湯コントローラ
２０ｂ  リモコン
２１  貯湯槽
２２  給水経路
２２ａ  水道水入口
２２ｂ  減圧弁
２２ｃ  給水サーミスタ
２２ｄ  逆止弁
２３  混合弁
２５  温水経路
２５ａ  逆止弁
２５ｂ  温水流量センサ
２６  バイパス給水経路
２６ａ  逆止弁
２６ｂ  給水流量センサ
２７  混合温水経路
２７ａ  混合サーミスタ
２８ａ  給湯バーナ往路
２８ｂ  給湯バーナバイパス路
２８ｃ  給湯バーナ復路
２８ｄ  バイパス制御弁
２９  給湯経路
２９ａ  給湯サーミスタ
３１  排水経路
３２  排水弁
３３  給湯用水往路
３４  給湯用水復路
３６  給湯往路サーミスタ
３８  圧力開放経路
３８ａ  リリーフ弁
３９ａ  タンク内部サーミスタ
３９ｂ、３９ｃ、３９ｄ  タンク表面サーミスタ
５０  ガス熱源ユニット
５０ａ  ガス熱源コントローラ
５１  給湯器
５２  給湯用水流入路
５２ａ  入水サーミスタ
５２ｂ  給湯水量センサ
５２ｃ  水量サーボ
５３  給湯熱交換器
５４  バーナ
５５  給湯用水流出路
５６  缶体サーミスタ
５７  出湯サーミスタ
５８  バーナバイパス経路
５９  バイパス制御弁
６０ａ  第１暖房復路
６０ｂ  第２暖房復路
６０ｃ  第３暖房復路
６０ｄ  第４暖房復路
６１  暖房循環経路
６２  シスターン
６３  暖房往路
６３ａ  暖房用水循環ポンプ
６３ｂ  暖房低温サーミスタ
６３ｃ  第１暖房熱交換器
６４  低温暖房往路
６５  高温暖房往路
６５ａ  暖房高温サーミスタ
６６ｃ  第２暖房熱交換器
６７ａ  低温暖房端末
６７ｂ  高温暖房端末
６８  暖房バイパス経路
６８ａ  暖房バイパス制御弁
６９  バーナ
７０  湯はり経路
７０ａ  湯はり弁
７０ｂ  湯はり量センサ
７１  浴槽循環経路
７２  浴槽
７３  浴槽ポンプ
７４  水流スイッチ
７５  浴槽戻りサーミスタ
７６  追い焚き熱交換器
７６ａ  暖房用水流路
７６ｂ  浴槽水流路
７７  浴槽往きサーミスタ
７８  追い焚き経路
７８ａ  追い焚き流量制御弁
８０  給湯栓
８２ａ  中継往路
８２ｂ  中継復路
８２ｃ  中継バイパス路
８３  混合弁
８４ａ  ＨＰ往きサーミスタ
８４ｂ  ＨＰ戻りサーミスタ
８４ｃ  暖房混合サーミスタ
１０２ａ  第１給湯用水連結配管
１０２ｂ  第２給湯用水連結配管
１０４ａ  第３給湯用水連結配管
１０４ｂ  第４給湯用水連結配管
１０６ａ  第１暖房用水連結配管
１０６ｂ  第２暖房用水連結配管
１０８ａ  第３暖房用水連結配管
１０８ｂ  第４暖房用水連結配管
【図１】
2015048992.tif 000003
【図２】
2015048992.tif 000004
【図３】
2015048992.tif 000005